(57)【要約】【課題】反射部材の隙間に起因する輝度ムラ及び色ムラを抑制する。【解決手段】照明装置３０は、被照射体に光を照射する光源５２と、前記光源５２を実装する基板５１と、前記基板５１の外周端面５１Ａに対して隙間Ｓ１を介して隣り合うよう配される近設部材５１と、前記基板５１の一対の板面のうち前記光源５２の実装面に配され、前記光源５２が挿通される挿通孔７２と、前記光源５２に対して前記近設部材９０側を除いた側方に配される側壁部７３と、を有する第１反射部材７０と、前記基板５１と前記近設部材５１との間の前記隙間Ｓ１に配され、前記側壁部７３と共に前記光源５２を取り囲む壁状の第２反射部材９０と、を備える。【選択図】図３
2020024875.tif 000002
【特許請求の範囲】
【請求項１】
被照射体に光を照射する光源と、
前記光源を実装する基板と、
前記基板の外周端面に対して隙間を介して隣り合うよう配される近設部材と、
前記基板の一対の板面のうち前記光源の実装面に配され、前記光源が挿通される挿通孔と、前記光源に対して前記近設部材側を除いた側方に配される側壁部と、を有する第１反射部材と、
前記基板と前記近設部材との間の前記隙間に配され、前記側壁部と共に前記光源を取り囲む壁状の第２反射部材と、を備える照明装置。
【請求項２】
前記基板は、複数が面内に並べて配されており、
前記近設部材には、隣に配された前記基板が含まれる請求項１記載の照明装置。
【請求項３】
前記近設部材には、前記被照射体側に開口し前記基板を収容するシャーシが含まれる請求項１または請求項２記載の照明装置。
【請求項４】
前記第２反射部材は、前記基板と前記近設部材との間の前記隙間に挿入される固定部と、前記固定部から前記被照射体側に突出する突出部とを備える請求項１から請求項３のいずれか１項に記載の照明装置。
【請求項５】
前記光源からの光を前記被照射体側に拡散する拡散板を備え、
前記突出部の前記被照射体側の先端部は、前記拡散板と対向する平坦面を有する請求項４記載の照明装置。
【請求項６】
前記平坦面は前記拡散板に当接している請求項５記載の照明装置。
【請求項７】
前記第１反射部材の前記側壁部は、平面視で前記光源を格子状に取り囲む形状をなし、
前記第２反射部材は、平面視で前記格子状の列方向又は行方向の少なくとも一方に沿って延在する請求項１から請求項６のいずれか１項に記載の照明装置。
【請求項８】
前記第２反射部材は白色の樹脂材料により一体形成されている請求項１から請求項７のいずれか１項に記載の照明装置。
【請求項９】
前記光源は一定の間隔で複数配されており、
前記側壁部は複数の前記光源の各々を取り囲む大きさが均等である請求項１から請求項８のいずれか１項に記載の照明装置。
【請求項１０】
請求項１から請求項９のいずれか１項に記載の照明装置と、前記照明装置から照射される光を利用して画素を表示する表示パネルと、を備える表示装置。
【請求項１１】
前記表示パネルは液晶を用いた液晶パネルである請求項１０記載の表示装置。
【請求項１２】
請求項１０又は請求項１１記載の表示装置を備えるテレビ受信装置。
【発明の詳細な説明】
【技術分野】
【０００１】
本発明は、照明装置、表示装置及びテレビ受信装置に関する。
【背景技術】
【０００２】
従来、液晶表示装置として、液晶パネルの裏面側全体に光源が配された、いわゆる直下型バックライト装置を用いたものが知られている。直下型バックライト装置においては、ＬＥＤ（光源の一例）側から液晶パネル側に傾斜する傾斜面を有する反射部材がＬＥＤ毎に配されることがあり、下記特許文献１及び特許文献２にその例が開示されている。特許文献１の液晶表示装置は、複数のＬＥＤが個別に挿通される挿通孔と、この挿通孔に挿通されたＬＥＤの各々を取り囲む側壁部とを有する反射部材を備える。このような反射部材により、ＬＥＤからの光は各ＬＥＤを取り囲む反射部材の傾斜面によって液晶パネル側にほぼ均等に指向されるため、液晶パネルの輝度分布を均一化可能となる。また、特許文献２の液晶表示装置は、このような反射部材の傾斜面の形状を改良することで、バックライト装置を薄型化した場合でも、輝度ムラを抑制することができるものとなっている。
【先行技術文献】
【特許文献】
【０００３】
【特許文献１】特開２００８−２９２９９１号公報
【特許文献２】国際公開第２０１２/０２９６００号
【発明の概要】
【発明が解決しようとする課題】
【０００４】
上記した反射部材は、複数のＬＥＤを実装するＬＥＤ基板上に設けられているが、反射部材が設けられた複数枚のＬＥＤ基板を面内方向に並べて用いることがある。この際、ＬＥＤ基板の位置決めバラつきや、ＬＥＤ基板や反射部材の寸法バラつきがあると、隣り合うＬＥＤ基板の反射部材の繋ぎ目（側壁部間の隣接部分）に隙間が生じてしまう。この隙間には光源からの光が到達しにくいため、液晶パネルにおいて輝度値が低い輝度ムラや、光源から放出される色味の光が足りない色ムラを生じる原因となる。
【０００５】
本発明は上記のような事情に基づいて完成されたものであって、反射部材の隙間に起因する輝度ムラ及び色ムラを抑制することを目的とする。
【課題を解決するための手段】
【０００６】
本発明の照明装置は、被照射体に光を照射する光源と、前記光源を実装する基板と、前記基板の外周端面に対して隙間を介して隣り合うよう配される近設部材と、前記基板の一対の板面のうち前記光源の実装面に配され、前記光源が挿通される挿通孔と、前記光源に対して前記近設部材側を除いた側方に配される側壁部と、を有する第１反射部材と、前記基板と前記近設部材との間の前記隙間に配され、前記側壁部と共に前記光源を取り囲む壁状の第２反射部材と、を備える。
【０００７】
このようにすれば、第１反射部材の側壁部のうち輝度ムラ及び色ムラの原因となる隙間を形成していた隣接部分が取り除かれるため、側壁部の隙間に起因した輝度ムラ、色ムラが抑制可能となる。また、当該隣接部分が取り除かれた隣り合う基板間（隣り合う基板の一方と、当該基板の外周端面に対して隙間を介して隣り合うよう配される近接部材（もう一方の基板））には、第２反射部材が配され、ＬＥＤからの光は第２反射部材により反射されるようになる。このようにすることで、輝度ムラ及び色ムラの原因となる隙間を形成していた隣接部分を取り除いた箇所においても、光の反射効果を維持することができる。
【発明の効果】
【０００８】
本発明によれば、反射部材の隙間に起因する輝度ムラ、色ムラの発生を抑制することができる。
【図面の簡単な説明】
【０００９】
【図１】本発明の実施形態１に係るテレビ受信装置の分解斜視図
【図２】本発明の実施形態１に係る液晶表示装置の分解斜視図
【図３】図２のＩＩＩ−ＩＩＩ線に沿って切断した断面の部分拡大図
【図４】シャーシに収容されたＬＥＤ、ＬＥＤ基板、反射部材、壁面部材を示す上面図
【図５】図４において第１壁面部材を分解した斜視図
【図６】本発明の実施形態２に係る液晶表示装置について図３に相当する図
【図７】本発明の実施形態２に係る液晶表示装置について図４に相当する図
【図８】従来例に係る液晶表示装置について図３に相当する図
【発明を実施するための形態】
【００１０】
＜実施形態１＞
実施形態１を図１から図５を参照して説明する。本実施形態では、バックライト装置３０（照明装置の一例）を備えた液晶表示装置（表示装置の一例）１０、及びそれを搭載したテレビ受信装置１０ＴＶについて例示する。なお、各図面の一部には、Ｘ軸、Ｙ軸、及びＺ軸を示しており、各軸方向が各図で共通した方向となるように描かれている。また、Ｚ軸方向において液晶パネル２０側を表側とし、Ｚ軸方向におけるその反対側を裏側とする。
【００１１】
本実施形態のテレビ受信装置１０ＴＶは、図１に示すように、液晶表示装置１０と、液晶表示装置１０を挟むようにして収容する表裏両キャビネット１０Ｃａ、１０Ｃｂと、電源１０Ｐと、テレビ信号を受信するチューナー１０Ｔと、スタンド１０Ｓとを備える。テレビ受信装置１０ＴＶは、全体として横長の方形をなしており、スタンド１０Ｓに横置き状態で載置される。
【００１２】
液晶表示装置１０は、表示パネルである液晶パネル２０（被照射体の一例）と、液晶パネル２０に光を照射するバックライト装置３０と、を備え、これらが枠状をなすベゼル４０などにより一体的に保持されるようになっている。ベゼル４０は、液晶パネル２０の表側の周縁部に沿って延在しており、液晶表示装置１０の表側の外観を構成している。ベゼル４０は、剛性に優れた金属製や樹脂製とされる。
【００１３】
液晶パネル２０は、画像を表示可能な表示面が表側を向いた姿勢で組み付けられている。液晶パネル２０は、全体として横長な方形状（矩形状）をなしている。液晶パネル２０は、透明な（高い透光性を有する）一対のガラス基板が所定のギャップを隔てた状態で貼り合わせられるとともに、両ガラス基板間に液晶層（図示しない）が封入された構成とされる。一方のガラス基板には、互いに直交するソース配線とゲート配線とに接続されたスイッチング素子（例えばＴＦＴ）と、そのスイッチング素子に接続された画素電極、さらには配向膜等が設けられ、他方のガラス基板には、Ｒ（赤色）、Ｇ（緑色）、Ｂ（青色）等の各着色部が所定配列で配置されたカラーフィルタや対向電極、さらには配向膜等が設けられている。このうち、ソース配線、ゲート配線、および対向電極などには、図示しない駆動回路基板から画像を表示するのに必要な画像データや各種制御信号が供給されるようになっている。なお、両ガラス基板の外側には偏光板（図示しない）が配されている。
【００１４】
バックライト装置３０は、図２に示すように、光出射側（液晶パネル２０側）に向けて開口した略箱型をなすシャーシ３１と、シャーシ３１の開口を覆うようにして配される拡散板６０と、拡散板６０から出射した光に所定の光学作用を付与する光学シート３３と、シャーシ３１の外周縁部に沿って配され拡散板６０の外周縁部及び光学シート３３の外周縁部をシャーシ３１との間で挟んで保持するフレーム１５と、を備える。シャーシ３１内には、拡散板６０の直下となる位置に対向状に配されるＬＥＤ５２と、ＬＥＤ５２が実装されたＬＥＤ基板５１と、ＬＥＤ５２の光を反射して拡散板６０側に指向させる反射シート７０（第１反射部材の一例）とが収容されている。このように本実施形態に係るバックライト装置３０は、液晶パネル２０の下側（裏側）にＬＥＤ５２が対向して配される、いわゆる直下型のバックライト装置をなすものとされる。
【００１５】
シャーシ３１は金属製とされ、図２に示すように全体としては表側に向けて開口した浅い略箱型をなしている。シャーシ３１は、液晶パネル２０と同様に横長な方形状をなす底部３１Ａと、底部３１Ａの各辺の外端からそれぞれ表側に向けて立ち上がる側部３１Ｂとを有し、底部３１Ａの裏側外部には、液晶パネル２０に駆動信号を供給するコントロール基板等の基板類３２が取り付けられている。
【００１６】
光学シート３３は可撓性を有し、液晶パネル２０およびシャーシ３１の底板３１Ａと同様に平面視で横長の方形状をなす。光学シート３３は、波長選択シート、プリズムシート、反射型偏光板等が積層されたものであって、液晶パネル２０と拡散板６０との間に介在して配されることで、拡散板６０からの出射光に所定の光学作用を付与しつつ液晶パネル２０に向けて出射させる。
【００１７】
拡散板６０は、その板厚が光学シート３３よりも厚く、例えばほぼ透明な樹脂製の基材内に拡散粒子を多数分散して設けた構成とされ、透過する光を拡散させる。ＬＥＤ５２から発せられた光は、拡散板６０の裏側の板面（光入射面）に入射して、拡散板６０の表側の板面（光出射面）から光学シート３３側へ拡散するように出射される。
【００１８】
ＬＥＤ５２は、図２及び図３に示すように、板状のＬＥＤ基板５１の表側を向いた板面（実装面）に実装されている。ＬＥＤ５２は、複数がＸ軸方向（行方向）及びＹ軸方向（列方向）についてそれぞれほぼ等間隔に行列状（マトリクス状）に並列して配されている。ＬＥＤ５２は、実装面の面内に配索形成された金属膜からなる配線パターン（図示しない）によって相互が電気的に接続されている。ＬＥＤ基板５１の基材は、例えばアルミニウムなどの金属製とされ、その表面に絶縁層を介して配線パターンが形成されている。なお、ＬＥＤ基板５１の基材に用いる材料としては、合成樹脂等の絶縁材料を用いることも可能である。
【００１９】
ＬＥＤ５２は、発光強度がピークとなる光がＬＥＤ５２の正面方向（Ｚ軸方向）に対してＬＥＤ基板５１の面内（Ｘ−Ｙ面内）に若干傾いた方向（斜め方向）に向かうような配光分布を有している。ＬＥＤ５２から出射された光は、斜め方向に放射される光の強度が大きいため、広い範囲に拡散可能となっている。本実施形態において、ＬＥＤ５２には、青色発光素子から発せられた光（青色の一次光）を放出するものが用いられているが、その他、発光素子に蛍光体を塗布することにより白色発光するもの、青色、赤色、緑色の３種類のＬＥＤチップが面実装されて白色発光するもの等、様々な種類のものを用いることができる。
【００２０】
続いて、反射シート７０について、図２から図５を参照して詳しく説明する。反射シート７０は、合成樹脂により形成されたシート状部材であって、その表面が光の反射性に優れた白色を呈するものとされている。反射シート７０は、シャーシ３１の底部３１Ａの表側に敷設されたＬＥＤ基板５１の表側（実装面）に配され、ＬＥＤ基板５１をほぼ全体に亘って覆っている。
【００２１】
反射シート７０は、図３及び図４に示すように、複数のＬＥＤ５２の各々が挿通される複数の挿通孔７２と、挿通孔７２に挿通されたＬＥＤ５２の各々を側方から取り囲む側壁部７３と、挿通孔７２と側壁部７３とを接続しＬＥＤ基板５１に沿う底壁部７４と、を有する。各ＬＥＤ５２を取り囲む側壁部７３は、ＬＥＤ基板５１側から表側に立ち上がる傾斜面７３Ａを含み、４つの台形状の傾斜面７３Ａが各ＬＥＤ５２を逆四角錐状に個別に取り囲むように形成されている。傾斜面７３Ａにより、各ＬＥＤ５２から出射されて傾斜面７３Ａに到達した光が表側に指向するように反射される。出射光の強度がピークとなるＬＥＤ５２の放射角度に応じて側壁部７３の傾斜面７３Ａの角度を調整することにより、表側に指向させる度合い等を調整することができる。本実施形態において、ＬＥＤ５２は一定の間隔で配されると共に、複数のＬＥＤ５２の各々を取り囲む側壁部７３の大きさは均等であるため、ＬＥＤ５２から出射した光は側壁部７３の傾斜面７３Ａによって液晶パネル２０側にほぼ均等に指向される。
【００２２】
側壁部７３は、図３に示すように、その表側の先端部７３Ｂと拡散板６０との間に所定の空隙が保有される程度の高さを有し、拡散板６０とは非接触の状態とされている。この空隙により、側壁部７３が取り囲むＬＥＤ５２から出射された光と、そのＬＥＤ５２と隣り合うＬＥＤ５２から出射された光とが相互に行き交うことが許容される。なお、熱可塑性樹脂材料からなる反射シート７０を製造する過程において、反射シート７０に真空成型を施して所定形状に曲げ加工すると、このような形状を有する側壁部７３を一体的に形成することができる。
【００２３】
ところで、液晶表示装置１０の平面サイズが大きくなり、内蔵されるＬＥＤ５２の数が増大した場合、全てのＬＥＤ５２を一枚のＬＥＤ基板５１に実装することは製造上の困難性を伴うものとなる。このため、例えば２０型程度以上の中型の液晶表示装置１０においては、所定の数のＬＥＤ５２を有する複数枚のＬＥＤ基板５１が面内方向に並べて配される。本実施形態においては、図４に示すように、一例として３行×５列の計１５個のＬＥＤ５２を実装したＬＥＤ基板５１がシャーシ３１の底部３１Ａに２×２枚の計４枚並べて配されている。各ＬＥＤ基板５１には、それぞれの実装面を覆う反射シート７０が個別に配されており、従って、ＬＥＤ基板５１が面内（Ｘ−Ｙ面内）方向に並べて配されると、各ＬＥＤ基板５１を覆う反射シート７０も同様にＸ−Ｙ面内に並べて配されるようになる。
【００２４】
ここで、ＬＥＤ基板５１を並べて配する際、ＬＥＤ基板５１の位置決めにバラつきが生じたり、ＬＥＤ基板５１の寸法にバラつきがあると、図８の従来例に示すように、隣り合うＬＥＤ基板５１の間に隙間Ｓ１が生じてしまい、これにより隣接する側壁部７３間にも隙間Ｓ２が生じてしまう。また、反射シート７０の寸法バラつきによっても隙間Ｓ２が生じてしまう。この隙間Ｓ２には、ＬＥＤ５２からの光が到達しにくくなるため、液晶パネル２０において輝度値が低い輝度ムラを生じる原因となる。また、ＬＥＤ５２が青色発光素子から発せられた光（青色の一次光）を放出するものである場合、一次光の色味（青色）の光が足りない色ムラの原因となる。
【００２５】
そこで、本実施形態に係る液晶表示装置１０は、図３に示すように、反射シート７０の側壁部７３のうち従来例において隙間Ｓ２を形成していた隣接部分７５が取り除いた構成をなすものとされる。このようにすれば、輝度ムラ及び色ムラの原因となる隙間Ｓ２を形成していた隣接部分７５が取り除かれるため、隙間Ｓ２に起因した輝度ムラ、色ムラが抑制可能となる。また、隣接部分７５が取り除かれた隣り合うＬＥＤ基板５１間には、壁状の第１壁面部材９０（第２反射部材の一例）が配される。言い換えると、第１壁面部材９０は、ＬＥＤ基板５１と、その外周端面５１Ａに対して隣りに配される別のＬＥＤ基板５１（近設部材の一例）との間に介在するように設けられる。このようにすることで、隣接部分７５が取り除かれたＬＥＤ基板５１間においても、ＬＥＤ５２からの光は第１壁面部材９０により反射されるため、光の反射効果を維持することができる。
【００２６】
第１壁面部材９０は、図４及び図５に示すように、隣り合うＬＥＤ基板５１間の隙間Ｓ１に沿って配されている。本実施形態においては、隙間Ｓ１が格子状の列方向（Ｙ軸方向）及び行方向（Ｘ軸方向）に沿っていることから、第１壁面部材９０も格子状の列方向及び行方向に沿って延在している。第１壁面部材９０は、列方向に沿う列方向壁面部材及び行方向に沿う２つの行方向壁面部材により構成されているが、行方向及び列方向に沿うようにあらかじめ十字形に一体形成されていてもよい。また、列方向壁面部材が列方向に２つ以上に細分化され、行方向壁面部材が行方向に３つ以上に細分化されていてもよく、これら細分化されたものを適宜組み合わせて、隙間Ｓ１に沿って延在するようにしても構わない。
【００２７】
第１壁面部材９０はまた、隣り合うＬＥＤ基板５１の隙間Ｓ１に挿入される固定部９２と、固定部９２から表側に突出し反射性を有する突出部９１とを有する。第１壁面部材９０は樹脂材料からなり、これら各部が一体形成されている。固定部９２は、隙間Ｓ１に挿入され、シャーシ３１の底部３１Ａに形成された取付部３５に差し込まれて、ＬＥＤ基板５１及びシャーシ３１に固定されている。本実施形態においては、取付部３５は開口であり、この開口に先端部が分岐した弾性体をなす固定部９２が差し込まれ、当該先端部に形成された板面方向の突起がシャーシ３１の底部３１Ａの下面に係止されることで、固定部９２がシャーシ３１の底部３１Ａに固定されている。また、固定部９２により、隣り合うＬＥＤ基板５１間の距離（隙間Ｓ１の幅）は所定の長さに保たれるようになるため、位置決め等の作業を簡略化できる。
【００２８】
突出部９１は、少なくとも側壁部７３と同程度の高さに突出し、ＬＥＤ５２からの照射光が当たる部分は反射率が高い表面を有することが好ましい（図３）。例えば、表面の色を白色にしたり、表面の材質に酸化チタンや硫酸バリウム等の光反射率の高い物質を混入したものを用いることが挙げられる。このようにすれば、ＬＥＤ５２からの照射光が突出部９１に吸収されにくくなる。
【００２９】
突出部９１は、その表側の先端部分に拡散板６０と対向する平坦面９１Ａを有する。シャーシ３１の底部３１Ａ及びその上に配されるＬＥＤ基板５１は、ＬＥＤ５２の発熱等により液晶パネル２０側に凸状に反ることがあるが、その際に突出部９１が拡散板６０に接触して、突出部９１から拡散板６０に不要な応力がかかってしまう恐れがある。このため、突出部９１のうち拡散板６０と対向し接触する可能性のある部分を平坦面９１Ａとすることで、このような接触時にも拡散板６０に局所的な応力がかからないようにすることができる。
【００３０】
なお、平坦面９１Ａはシャーシ３１の底部３１Ａ及びＬＥＤ基板５１に反りが生じていない状態でも、拡散板６０に当接していてもよい。そのようにすることで、平坦面９１Ａを通じて、第１壁面部材９０により拡散板６０を支持可能となる。通常、拡散板６０は、シャーシ３１の底部３１ＡやＬＥＤ基板５１に設けられた支持ピン（図示しない）により裏側から支持されているが、このような構成とすることで、支持ピンの数を削減することができる。
【００３１】
＜実施形態２＞
本発明の実施形態２に係る表示装置１００を図６及び図７を参照して説明する。この実施形態２では、上記した実施形態１の第１壁面部材９０に加えて、シャーシ３１（近設部材の別の一例）の側部３１Ｂと、側部３１Ｂと隣り合うＬＥＤ基板５１との間に壁状の第２壁面部材１９０（第２反射部材の別の一例）をさらに備える。なお、上記した実施形態１と同様の構造、作用及び効果について重複する説明は省略する。
【００３２】
実施形態２に係る液晶表示装置１００は、図６及び図７に示すように、シャーシ３１の側部３１Ｂと隣り合うＬＥＤ基板５１において、側壁部７３のうち側部３１Ｂ側の部分が取り除かれている。このようにすれば、輝度ムラ及び色ムラの原因となっていたシャーシ３１の側部３１Ｂと側壁部７３間の隙間はなくなる。そして、第２壁面部材１９０が、ＬＥＤ基板５１と、その外周端面５１Ａに対して隣り合うよう配されたシャーシ３１の側部３１Ｂとの間に介在するよう配されている。
【００３３】
第２壁面部材１９０は、側部３１Ｂ側の部分が取り除かれた（側部３１Ｂ側を除いて配されている）側壁部７３と共に、ＬＥＤ５２を取り囲んでいる。このようにすることで、ＬＥＤ５２は、反射性を有する第２壁面部材１９０及び側壁部７３により取り囲まれ、側壁部７３が取り除かれた部分においても、ＬＥＤ５２からの光は第２壁面部材１９０により反射されるため、光の反射効果を維持することができる。
【００３４】
突出部１９１は、ＬＥＤ５２に面する側面１９１Ｂが第１壁面部材９０の突出部９１と同様の傾斜面を有し、シャーシ３１の側部３１Ｂに面する側面１９１Ｃが側部３１Ｂの形状に沿った、ＬＥＤ基板５１にほぼ垂直な面を有する。このようにすることで、側部３１Ｂの形状に沿うように第２壁面部材１９０を配設可能となる。なお、第２壁面部材１９０は、複数のＬＥＤ５２が１枚のＬＥＤ基板５１に実装されており、シャーシ３１に収容されるＬＥＤ基板５１が１枚の場合にも利用できる。
【００３５】
＜他の実施形態＞
本発明は上記記述及び図面によって説明した実施形態に限定されるものではなく、例えば次のような実施形態も本発明の技術的範囲に含まれる。
【００３６】
（１）上記実施形態では、第１壁面部材及び第２壁面部材の固定部が、シャーシの底部に固定されている例を示したが、例えば固定部がＬＥＤ基板に固定され、ＬＥＤ基板がシャーシの底部と固定される構成であっても構わない。また、上記実施形態では、固定部が各突出部に設けられている例を示したが、固定部の数は求められる固定強度等に応じて適宜変更可能である。
【００３７】
（２）上記実施形態では、ＬＥＤ基板間、及びシャーシの側部とＬＥＤ基板との間の隙間が行方向及び列方向に沿って生じており、このため行方向及び列方向に沿って第１壁面部材及び第２壁面部材が設けられている例を示したが、これらの壁面部材の形状は、ＬＥＤ基板間、及びシャーシの側部とＬＥＤ基板との間の隙間の形状に合わせて適宜変更される。また、壁面部材の形状は、隙間を形成する反射シートの側壁部の形状に応じて適宜変更される。
【００３８】
（３）上記実施形態では、ＬＥＤから出射された光は、斜め方向に放射される光の強度が大きい場合を示したが、ＬＥＤの配向分布はこれに限られない。また、ＬＥＤの配向分布等に応じて、反射シートの側壁部の傾斜面の角度は適宜変更可能であり、ＬＥＤ基板の法線方向（Ｚ軸方向）に沿って傾斜面が形成されていても構わない。さらに、上記実施形態では、台形状の傾斜面が各ＬＥＤを逆四角錐状に取り囲む例を示したが、逆四角錐状に限られず、例えば逆円錐状の傾斜面によって各ＬＥＤが取り囲まれていてもよい。
【００３９】
（４）上記した実施形態では、光源としてＬＥＤを用いたものを示したが、有機ＥＬ等の他の光源を用いることも可能である。
【００４０】
（５）上記実施形態では、液晶表示装置及びテレビ受信装置は、全体として横長の方形をなしており、横置き状態で設置される例を示したが、縦長の方形をなし、縦置き状態で設置されていてもよい。またその他の形状のものにも適用可能である。
【符号の説明】
【００４１】
１０,１００…液晶表示装置（表示装置）、１０ＴＶ…テレビ受信装置、２０…液晶パネル（表示パネル、被照射体）、３０…バックライト装置（照明装置）、３１…シャーシ（近設部材）、５１…ＬＥＤ基板（基板、近設部材）、５１Ａ…基板の外周端面、５２…ＬＥＤ（光源）、６０…拡散板、７０…反射シート（第１反射部材）、７２…挿通孔、７３…側壁部、９０…第１壁面部材（第２反射部材）、１９０…第２壁面部材（第２反射部材）、９１,１９１…突出部、９１Ａ,１９１Ａ…平坦面、９２,１９２…固定部、Ｓ１…基板と近接部材との間の隙間
【図１】
2020024875.tif 000003
【図２】
2020024875.tif 000004
【図３】
2020024875.tif 000005
【図４】
2020024875.tif 000006
【図５】
2020024875.tif 000007
【図６】
2020024875.tif 000008
【図７】
2020024875.tif 000009
【図８】
2020024875.tif 000010